(57)【要約】【課題】本発明に係る液封入容器組立体によれば、医者の注射行為の手間を省くこと、かつ時間を短縮することができる。【解決手段】液封入容器組立体１０は、一端に注射針又はチューブ装着部材を備え、かつ他端に着脱機構２０を嵌着してなる液封入容器１６を備える。該液封入容器を嵌合する保持具と、該液封入容器の着脱機構部材と協働する着脱機構１４を備える。前記液封入容器内の液を押し出し又は液を吸入するための摺動具２２を備える。【選択図】　　図１
2004041624.tif 000002
【特許請求の範囲】
【請求項１】
一端に注射針又はチューブ装着部材を備え、かつ他端に着脱機構を嵌着してなる液封入容器と、該液封入容器を嵌合する保持具と、該液封入容器の着脱機構部材と協働する着脱機構を備えて前記液封入容器内の液を押し出し又は液を吸入するための摺動具とを備える液封入容器組立体。
【請求項２】
一端に注射針又はチューブ装着部材を備え、かつ他端に着脱機構を嵌着してなる液封入容器と、該液封入容器を嵌合する保持具と、該液封入容器の着脱機構部材と協働する着脱機構を備えて前記液封入容器内の液を押し出し又は液を吸入するための摺動具と、該摺動具を移動するための駆動装置とを備える液封入容器組立体。
【請求項３】
一端に注射針装着部材を備え、かつ他端に摺動可能な着脱機構を嵌着してなる液封入容器と、該液封入容器を嵌合する保持具と、該液封入容器の着脱機構部材と協働する着脱機構を備えて前記液封入容器内の液を押し出し又は液を吸入するための摺動具と、前記注射針を覆って取付けられた注射針保護取付装置とを備える液封入容器組立体。
【請求項４】
前記注射液封入容器は、前記保持具からの取り出しに使用するためにその外周に巻き付けられた帯状部材を備え、かつ帯状部材は、患者名及び又は薬の名前等を記載してなることを特徴とする請求項１、２又は３記載の液封入容器組立体。
【請求項５】
前記注射針保護取付け装置は、一端に設けられた注射針保護具と、該注射針保護具に取り付けられた伸縮可能な筒状体を備えることを特徴とする請求項１、２又は３記載の液封入容器組立体。
【請求項６】
前記注射針保護取付装置は、一端に設けられた注射針保護具と、該注射針保護具に取り付けられた伸縮可能な筒状体と、前記筒状体に注射針の外径より幾分大きな外径を有するは開口を有する針案内孔とを備えることを特徴とする請求項３記載の液封入容器組立体。
【請求項７】
一端に注射針装着部材を備え、かつ他端に摺動可能な着脱機構を嵌着してなる液封入容器と、該液封入容器を嵌合する保持具と、該液封入容器の着脱機構部材と協働する着脱機構を備えて前記液封入容器内の液を押し出し又は液を吸入するための摺動具と、一端に設けられた注射針保護具と該保護具に取り付けられた伸縮可能な筒状体を備える注射針保護取付装置と、使用済み針を廃棄する際に前記筒状体が注射針を取り付けた針固定部材から取り外れないように設けられた取り外れ防止手段とを備える液封入容器組立体。
【請求項８】
一端にチューブ装着部材を備え、かつ他端に摺動可能な着脱機構を嵌着してなる液封入容器と、該液封入容器を嵌合する保持具と、該液封入容器の着脱機構部材と協働する着脱機構を備えて前記液封入容器内の液を押し出し又は液を吸入するための摺動具と、前記チューブの先端部に取り付けられた翼付き針固定部材とを備える液封入容器組立体。
【発明の詳細な説明】
【０００１】
【産業上の利用分野】
本発明は、注射液アンプル等を取り付ける液封入容器組立体に関する。
【０００２】
【従来の技術】
一般に、医者は患者に注射をする場合、注射液アンプルを注射器に入れ替える。このため、医者の注射行為に手間及び時間がかかり、特に多量の注射液を患者に注射する際に顕著である。
【０００３】
【発明が解決しようとする課題】
本発明は上述した従来の欠点を鑑みてなされたもので、本発明の目的は、医者の注射行為の手間を省くこと、かつ時間を短縮することができる液封入容器組立体を提供することにある。
【０００４】
【課題を解決するための手段】
請求項１に係る液封入容器組立体は、一端に注射針又はチューブ装着部材を備え、かつ他端に着脱機構を嵌着してなる液封入容器と、該液封入容器を嵌合する保持具と、該液封入容器の着脱機構部材と協働する着脱機構を備えて前記液封入容器内の液を押し出し又は液を吸入するための摺動具とを備える。
【０００５】
請求項２に係る液封入容器組立体は、一端に注射針又はチューブ装着部材を備え、かつ他端に着脱機構を嵌着してなる液封入容器と、該液封入容器を嵌合する保持具と、該液封入容器の着脱機構部材と協働する着脱機構を備えて前記液封入容器内の液を押し出し又は液を吸入するための摺動具と、該摺動具を移動するための駆動装置とを備える。
【０００６】
請求項３に係る液封入容器組立体は、一端に注射針装着部材を備え、かつ他端に摺動可能な着脱機構を嵌着してなる液封入容器と、該液封入容器を嵌合する保持具と、該液封入容器の着脱機構部材と協働する着脱機構を備えて前記液封入容器内の液を押し出し又は液を吸入するための摺動具と、前記注射針を覆って取付けられた注射針保護取付装置とを備える。
【０００７】
請求項４に係る液封入容器組立体は、前記注射液封入容器が、前記保持具からの取り出しに使用するためにその外周に巻き付けられた帯状部材を備え、かつ帯状部材は、患者名及び又は薬の名前等を記載してなることを特徴とする。
【０００８】
請求項５に係る液封入容器組立体は、前記注射針保護取付け装置は、一端に設けられた注射針保護具と、該注射針保護具に取り付けられた伸縮可能な筒状体を備えることを特徴とする。
【０００９】
請求項６に係る液封入容器組立体は、前記注射針保護取付装置は、一端に設けられた注射針保護具と、該注射針保護具に取り付けられた伸縮可能な筒状体と、前記筒状体に注射針の外径より幾分大きな外径を有するは開口を有する針案内孔とを備えることを特徴とする。
【００１０】
請求項７に係る液封入容器組立体は、一端に注射針装着部材を備え、かつ他端に摺動可能な着脱機構を嵌着してなる液封入容器と、該液封入容器を嵌合する保持具と、該液封入容器の着脱機構部材と協働する着脱機構を備えて前記液封入容器内の液を押し出し又は液を吸入するための摺動具と、一端に設けられた注射針保護具と該保護具に取り付けられた伸縮可能な筒状体を備える注射針保護取付装置と、使用済み針を廃棄する際に前記筒状体が注射針を取り付けた針固定部材から取り外れないように設けられた取り外れ防止手段とを備える。
【００１１】
請求項８に係る液封入容器組立体は、一端にチューブ装着部材を備え、かつ他端に摺動可能な着脱機構を嵌着してなる液封入容器と、該液封入容器を嵌合する保持具と、該液封入容器の着脱機構部材と協働する着脱機構を備えて前記液封入容器内の液を押し出し又は液を吸入するための摺動具と、前記チューブの先端部に取り付けられた翼付き針固定部材とを備える。
【００１２】
【発明の実施の形態】
以下、本発明の実施例を図面を参照して詳述する。図１は、液封入容器組立体を示す概略図である。図２は液封入容器の概略図である。なお、図２に示すように、注射針装着部材の注射針２４に代えて先端に注射針を備えるチューブ２６を装着してもよい。該図において、液封入容器組立体１０は、一端に小径の延出管１２である注射針装着部材を備え、かつ他端に摺動可能な着脱機構部材１４を嵌着してなる液封入容器１６と、液封入容器を保持する保持具１８と、該液封入容器の着脱機構部材１４と協働する着脱機構２０を備えて前記液封入容器内の液を押し出し又は液を吸入するための摺動具２２とを備える。さらに、保持具の先端は液封入容器の小径の延出管１２が嵌るような細長い溝を設けてある。そして、延出管１２は、留輪１５を備え、留輪１５は、保持具１８の先端部に形成された嵌合孔に溝を通して挿着される（図１３参照）。また、液封入容器１６の後端は、保持具１８の後端から内側に位置することが好ましい。
【００１３】
液封入容器１６は、注射液を封入した透明なプラスチックやガラス等で作られた注射液アンプルである。保持具１８は、プラスチック製で液封入容器の形状と同じ形状を備え、そして液封入容器１６は保持具１８内に嵌合される。従って、医者は液封入容器組立体を注射器と同じ感覚で使用することができる。なお、液封入容器１６は、採決用した血液を入れることもできる。さらに、摺動具を移動するためのモータ等の駆動装置を備えてもよい。これは、多量の注射液を患者に注入する場合に医者の手間を省くことができる。液封入容器組立体は複数の液封入容器を備えることもできる。液封入容器を複数本使用する場合、２本目の液封入容器の小径の延出管に着脱機構部材の長さより幾分長い注射針を取り付けて１本目の着脱機構部材に挿通して液封入容器内に突出する。
【００１４】
注射液封入容器１６の着脱機構部材１４は、ゴム製で係止構造を有し、摺動具の着脱機構部材である係止構造と協働する。液封入容器の着脱機構部材は、その周囲に着脱機構部材の移動に伴い該部材の材料から出る粉砕材や外部からのゴミ等が注射液中に混入することを防止するための混入防止用フィルムを回装していることが好ましい。係止構造は摺動具を注射液封入容器に当接して摺動具を所定の方向に回動することにより係止する。かくして、両者が係止した状態で摺動具を押すことにより注射液封入容器中の注射液を注射針に供給し、また摺動具を吸引することにより液封入容器中に血液を入れることもできる。また、液封入容器はその表面に注射液を予め記載してあることが好ましい。さらにまた、注射液封入容器は、保持具からの取り出しに使用するためにその外周に巻き付けられた帯状部材を備えることが好ましい。そして、帯状部材は、患者名及び又は薬の名前等を記載してなる。
【００１５】
図３は、注射針の使用後に使用済み注射針を処分する前で、注射器に注射針保護取付装置３０が装着されている状態を示す概略図である。使用済み注射針を処分する時、注射針保護取付装置は注射器から取り外して処分される。図４は、注射器を注射針保護取付装置に装着した状態で医者が患者に注射を行う状態を示す概略図である。
【００１６】
注射針保護取付装置３０は、注射針保護具３６と、注射針３２を取り付けた針固定部材３３と、長手方向に伸縮可能な伸縮構造を備える筒状体３７とからなる。注射針保護具３６は、針の貫通孔３５を有する針案内孔３９を備える。筒状体３７の一端は、針固定部材３３に着脱可能に装着される。注射針保護具３６と、長手方向に伸縮可能な伸縮構造を備える筒状体３７とは、一体的に構成される。
【００１７】
筒状体３７の伸縮可能な伸縮構造は、蛇腹構造体３８を有する。従って、筒状体３７は長手方向に伸縮自在である。注射針保護具３６は、蛇腹構造体３８の伸縮によって注射針を長手方向に摺動できる。それにより、注射針は、注射針保護具内に収納され、又は注射針保護具から外方に延出される。蛇腹構造を備える筒状体３７を医者が、後端方向へ引張った後、外力を除いた状態で、その状態を維持できるように塑性加工されている。そのため、伸縮可能な範囲内において、筒状体は所望の長さの間で伸縮状態を保持できる。その結果、注射針保護具の針案内孔から露出する注射針の長さを一定の範囲内で自由に調節できる。
【００１８】
蛇腹構造の筒状体３７は、任意の伸縮状態に保持できる機能を持たせるために、例えば伸縮自在の合成樹脂製ストローのように良く知られた構造を用いることもできる。筒状体は、針案内孔と一体に成形加工して作ってもよい。注射針保護具が完全に誤針刺防止機能を得るために注射針の使用後に注射針が完全にその中に被覆収納されることが必要である。従って、伸縮部材を最大に伸長させた時、注射針保護具によって注射針が完全に収納されることが好ましい。
【００１９】
伸縮部材の材質は透明であり、かつ伸縮が塑性的であえれば良く、伸縮した状態の維持が可能なストロー等に使用されているものが利用できる。例えば、ポリエチレン、ポリプロピレン、塩化ビニル樹脂等で作られる。
【００２０】
注射針保護具３６の先端部の針案内孔３９の貫通孔は、注射針がスムーズに通過できるだけの径を有していれば良い。注射針保護具３６は、半円形状の硬質の合成樹脂から作られる。医者等が注射針保護具を注射器に装着する際に、注射針の挿通を助けるために針案内孔３９は、図５に示す案内構造体を備えることが好ましい。案内構造体は、針の貫通孔の終端から注射器側へ延出した貫通孔の外径より幾分大きい内径を有する細長の針案内孔３９と、案内環状体４０で構成されている。かくして、注射針が長い場合、注射針保護取付装置は長くなる。この結果、蛇腹構造体の筒状体３７に注射針を挿入する際に、蛇腹構造体を圧縮する必要がある。ここで、蛇腹構造体は、圧縮の途中で曲がってしまい、針の挿通に手間がかかるが、これが防止できる。
【００２１】
筒状体は、それを最大に圧縮させて注射器に注射針を装着させる際に、注射器の針固定部材の先端と針案内孔３９の後端との間に形成される距離に相当する長さ、又はその長さより僅かに短い長さを有することが好ましい。さらに、案内構成体は、図５に示すように蛇腹構造体を備える筒状体の部分に注射針の外径より幾分大きな外径を有する開口を有する案内環状体４０を長手方向に１個又は複数個配設する。
【００２２】
また、使用済み注射針廃棄装置は、使用済み針を廃棄する際に、注射針保護取付装置と注射針を取り付けた針固定部材３３とが取り外れないように取り外れ防止手段を備える。取外防止手段の一例が図６に示されている。該図において、注射針取付装置の筒状体の蛇腹構造体３８は、その後端で注射針を取り付けた針固定部材３３に当接される突起４１を備える。突起４１は、複数個備え、かつ針側前方に位置する突起ほどその高さを高くする。また、取り外れ防止手段は、図５に設けられた案内環状体４０にスリットを設けて手で押すつぶすことにより針をスリット内に入れて固定する等の手段であってもよい。
【００２３】
注射針保護装置を使用する際に、注射針の長さに相当する注射針保護具が使用されなければならない。そこで、注射針の長さ毎に使用する注射針保護具を予め決めておくことは、医者にとって都合が良い。本実施例では、針固定部材と注射針保護取付装置に注射針の長さに応じて識別手段を持たせる。すなわち、針固定部材と注射針の長さに応じて注射針保護取付装置を識別する識別手段を持たせる。針固定部材と注射針保護取付装置は、注射針の長さに応じて同じ識別手段を持つ。例えば、針固定部材と注射針保護取付装置の筒状体及び又は注射針保護具とは、ピンク、青、黒等の同じ色、又は同じ印等を持たせる。かくして、使用時において、同じ色同士を組み合わせて使用する。
【００２４】
注射器は、手動で注入する代わりに自動注入装置を使用して自動的に注入するようにしてもよい。この際、注射液が所定の血管から外れて注射液が漏れ出すのを防止する必要がある。このため、自動注入装置に圧力センサーを設けて注射液の押し出し圧力が所定の圧力を超えた時、注射液の押し出しを停止するようにする。
【００２５】
図７及び図８は、図３に示した注射針保護取付装置の蛇腹構造の筒状体の蛇腹構造体に代わる代替構造を示す概略図である。該図において、符号４３は、キャップである。このキャップ４３内に複数の伸縮用部材４２が伸縮可能に組み合わせて構成されている。注射針３２は、針固定部材３３に取り付けられている。ここで、図７は、複数の伸縮用部材４２が伸びている状態を示し、一方図８は、複数の伸縮用部材４２が縮んでいる状態を示す。
【００２６】
また、注射器に代えて注射針を点滴や透明液の袋体にチューブを介して注射針を取り付けることもできる。図９及び図１０において、符号５０は、針固定部材を示す。針固定部材５０は、所定の長さを有する中空の筒状部５２と、筒状部の両側に拡大領域を備える翼部５４と、筒状部から延出する針５６と、針を保護するためのスリーブ５８とを備える。筒状部の他端は、点滴や透析液のバックに細いチューブ６０で接続される。
【００２７】
符号６２は、第１テープであり、第１テープのＸ方向の長さは、針固定体の両翼部のＸ方向（長手方向）長さより長く所定の寸法をもって作られる。なお、第１テープのＹ方向（長手方向に対して直角の方向）長さは、針固定部体の両翼部のＹ方向長さと同じか短い所定の寸法をもって作られている。ここで、第１テープは、第１の合成樹脂フィルムと、該フィルムの上下方向の両側の面にそれぞれ接着剤を塗布してなる接着剤塗布上下面と、接着剤塗布上下面の一方、好ましくは両方の端部に取り付けられた第２の合成樹脂製フィルムの保護部とを備える。
【００２８】
第１テープの第１の合成樹脂フィルムの上面及び下面は、保護部材を除いて針保持体の両翼部の長さに相当する長さにわたって接着剤塗布上面及び下面を露出している。そして、該テープの両端の保護部は、針保持体を患者の皮膚に該テープの接着剤塗布下面をもって貼り付けた後、該テープを皮膚から剥がす際の手の摘部を構成する。符号６４は、第２のテープであり、第２テープのＸ方向の長さは、第１テープのＸ方向の長さより長い寸法を有する。すなわち、第２テープは、Ｘ方向において、第１テープの少なくとも一方の端部から外方に延出する長さを有する。
【００２９】
図１１及び図１２は、他の針固定体の概略図を示す。該図において、符号６６は、第１テープであり、第１テープ６６は、翼部５４上に取りつけられている。そして、第２テープ６８が第１テープ６６上に取り付けられている。第２テープ６８の両端部は折り曲げられた片部７０を備え、片部７０の内面は、接着剤が塗布され互いに接着されている。よって、片部７０の端部を手で持ってＸ方向に伸ばすことにより接着剤面をもって皮膚に固定することができる。そして、皮膚から第２テープを剥す際には、片部７０の端部の手でもっ手上方へ持ち上げればよい。
【００３０】
【発明の効果】本発明に係る液封入容器組立体によれば、医者の注射行為の手間を省くこと、かつ時間を短縮することができる。
【図面の簡単な説明】
【図１】図１は、液封入容器組立体を示す概略図である。
【図２】図２は液封入容器を示す概略図である。
【図３】図３は、注射針の使用後に使用済み注射針を処分する前で、注射器に注射針保護取付装置が装着されている状態を示す概略図である。
【図４】図４は、注射器を注射針保護取付装置に装着した状態で医者が患者に注射を行う状態を示す概略図である。
【図５】図５は、注射針の挿通を助けるための案内構造体を示す概略図である。
【図６】図６は、注射針保護取付装置と注射針を取り付けた針固定部材とが取り外れないように取り外れ防止手段を示す概略図である。
【図７】図７は、注射針保護取付装置の蛇腹構造の筒状体の蛇腹構造体に代わる代替構造を示し、伸縮用部材４２が伸びている状態を示す概略図である。
【図８】図８は、注射針保護取付装置の蛇腹構造の筒状体の蛇腹構造体に代わる代替構造を示し、伸縮用部材４２が縮んでいる状態を示す概略図である。
【図９】図９は、第１及び第２テープを備えた針固定部体を示す概略図である。
【図１０】図１０は、針固定部体を示す概略図である。
【図１１】図１１は、他の第１及び第２テープを備えた針固定部体を示す概略図である。
【図１２】図１２は、図１１の第１及び第２テープを展開した状態を示す概略図である。
【図１３】図１３は、図１の液封入容器組立体の正面図である。
【符号の説明】
１０：液封入容器組立体
１２：延出管
１４：着脱機構部材
１５：留輪
１６：液封入容器
１８：保持具
２０：着脱機構
２２：摺動具
２４：注射針
２６：チューブ
３０：注射針保護取付装置
３２：注射針
３３、５０：針固定部材
３６：注射針保護具
３７：筒状体
３８：蛇腹構造体
３９：針案内孔
４０：案内環状体
４１：突起
４２：伸縮用部材
４３：キャップ
５２：筒状部
５４：翼部
５８：スリーブ
６０：チューブ
６２、６６：第１テープ
６４、６８：第２テープ
７０：片部
【図１】
2004041624.tif 000003
【図２】
2004041624.tif 000004
【図３】
2004041624.tif 000005
【図４】
2004041624.tif 000006
【図５】
2004041624.tif 000007
【図６】
2004041624.tif 000008
【図７】
2004041624.tif 000009
【図８】
2004041624.tif 000010
【図９】
2004041624.tif 000011
【図１０】
2004041624.tif 000012
【図１１】
2004041624.tif 000013
【図１２】
2004041624.tif 000014
【図１３】
2004041624.tif 000015